(57)【要約】【課題】顧客が決済した方法に基づいてレシートを印刷するか、レシートデータを送信するか判断する。【解決手段】顧客が購入商品の支払いを携帯情報端末２０にて行った場合、レシートデータ出力部５５は、レシートデータをプリンター１０の通信部１２へ出力して、通信部１２は、受け取ったレシートデータを顧客の携帯情報端末２０へ送信する。また、顧客が購入商品の支払いを携帯情報端末２０にて行わなかった場合、レシートデータ出力部５５は、レシートデータを印刷部１３へ出力して、印刷部１３は、受け取ったレシートデータを印刷する。【選択図】図３
2013238977.tif 000002
【特許請求の範囲】
【請求項１】
商品の識別情報を取得する商品コード入力部と、
前記商品コード入力部で取得した前記識別情報で特定される前記商品について、商品名及び商品価格を取得する商品データ取得部と、
前記商品データ取得部で取得した前記商品名及び商品価格に基づいて、レシートデータを作成するレシートデータ生成部と、
携帯情報端末で決済されたか否かを判定するレシート発行判断部と、
前記レシートデータをプリンターへ出力するレシートデータ出力部と、を備えるＰＯＳ端末と、
携帯情報端末の情報を読み取る携帯情報端末読み取り部と、
前記レシートデータを前記携帯情報端末へ送信する通信部と、
前記レシートデータをレシートとして印刷する印刷部と、を備えるプリンターから成ることを特徴とするレシートデータ処理装置。
【請求項２】
前記レシート発行判断部により前記携帯情報端末で決済されたと判定された場合、前記レシートデータが前記通信部へ出力されて、当該通信部から前記携帯情報端末へ前記レシートデータが送信されることを特徴とする請求項１に記載のレシートデータ処理装置。
【請求項３】
前記レシート発行判断部により前記携帯情報端末で決済されなかったと判定された場合、前記レシートデータが前記印刷部へ出力されて、レシートとして印刷されることを特徴とする請求項１に記載のレシートデータ処理装置。
【請求項４】
携帯情報端末で決済されたか否かを判別し、レシート印刷を行うか、前記携帯情報端末へレシートデータを送付するか判別するレシートデータ処理方法であって、
（１）商品の識別情報を取得する商品コード入力ステップと、
（２）前記商品コード入力ステップで取得した前記識別情報で特定される前記商品について、商品名及び商品価格を取得する商品データ取得ステップと、
（３）前記商品データ取得ステップで取得した前記商品名及び商品価格に基づいて、レシートデータを作成するレシートデータ作成ステップと、
（４）携帯情報端末で決済されたか否かを判定するレシート発行判断ステップと、
（５）レシートデータを前記携帯情報端末へ送信するレシートデータ送信ステップと、
（６）レシートデータをレシートとして印刷するレシートデータ印刷ステップと、
を備えることを特徴とするレシートデータ処理方法。
【請求項５】
前記レシート発行判断ステップにより前記携帯情報端末で決済されたと判定された場合、前記レシートデータが通信部へ出力され、当該通信部から前記携帯情報端末へ前記レシートデータが送信されるレシートデータ送信ステップを備えることを特徴とする請求項４に記載のレシートデータ処理方法。
【請求項６】
前記レシート発行判断ステップにより前記携帯情報端末で決済されなかったと判定した場合、前記レシートデータが印刷部へ出力され、レシートとして印刷されるレシート印刷ステップを備えることを特徴とする請求項４に記載のレシートデータ処理方法。
【発明の詳細な説明】
【技術分野】
【０００１】
本発明は、店舗のレジ等において印刷されるレシートのレシートデータ処理装置およびレシートデータ処理方法に関する。
【背景技術】
【０００２】
近年、ＮＦＣ（Ｎｅａｒ  Ｆｉｅｌｄ  Ｃｏｍｍｕｎｉｃａｔｉｏｎ）規格に対応した携帯情報端末（携帯電話やスマートフォンなど）を用いて、店舗にて商品を購入した際の支払いをするケースが増えてきた。携帯情報端末にはＳＩＭカード（Ｓｕｂｓｃｒｉｂｅｒ  Ｉｄｅｎｔｉｔｙ  Ｍｏｄｕｌｅ、加入者識別モジュール）が搭載されていて、その中には契約者の電話番号や携帯事業者の情報、或いは電話帳などの各種データの他に、クレジットカードや銀行口座などのセキュリティー情報も記録されており、クレジットカードやモバイルウォレット（電子財布）として使用することができるようになっている。
【０００３】
支払いが終了すると、何を買ったか、いくらだったかなどの情報が記載されたレシートが発行され、手渡されているが、このような電子決済の場合においても、通常の現金やカードでの支払い時と同様にレシートは必ず発行されている。
【０００４】
そして、コンビニエンスストアや駅の売店などの小売店で買い物をする際に、購入単価が安く、しかも１日に頻繁に買い物を行うような場合は、財布の中にたくさんのレシートがたまってしまうことになるので、レシートは不要であると考える客は多いと思われる。
【０００５】
このような電子決済において、これまで紙媒体で提供されていたレシートを電子情報化して客に提供することが提案されている。例えば、特許文献１には、電子レシートサーバーに会計情報を格納しておき、この会計情報を携帯情報端末によって閲覧可能とする技術が開示されている。
【先行技術文献】
【特許文献】
【０００６】
【特許文献１】特開２００８−１４８７９２号公報
【発明の概要】
【発明が解決しようとする課題】
【０００７】
しかしながら、特許文献１の技術では、客は会計情報を閲覧するために携帯情報端末を操作してサーバーにアクセスする必要があり、会計情報を閲覧するために手間が掛かるという問題がある。
【０００８】
本発明は上記の点に鑑みてなされたものであり、客が店舗にて商品を購入した際の支払い手段として携帯情報端末を用いた場合には、購入した商品のレシートデータを支払いに使用した客の携帯情報端末に送信し、現金やカード（クレジットカードやプリペイドカードなど）で決済した場合はレシートを発行するというようにレシート発行の有無を自動的に判断することができるレシートデータ処理装置を提供することを目的とする。
【課題を解決するための手段】
【０００９】
（適用例１）本適用例に係るレシートデータ処理装置は、商品の識別情報を取得する商品コード入力部と、前記商品コード入力部で取得した前記識別情報で特定される前記商品について、商品名及び商品価格を取得する商品データ取得部と、前記商品データ取得部で取得した前記商品名及び商品価格に基づいて、レシートデータを作成するレシートデータ生成部と、携帯情報端末で決済されたか否かを判定するレシート発行判断部と、前記レシートデータをプリンターへ出力するレシートデータ出力部と、を備えるＰＯＳ端末と、携帯情報端末の情報を読み取る携帯情報端末読み取り部と、前記レシートデータを前記携帯情報端末へ送信する通信部と、前記レシートデータをレシートとして印刷する印刷部と、を備えるプリンターから成ることを特徴とする。
【００１０】
この構成によれば、客が店舗にて商品を購入した際の支払い手段として携帯情報端末を用いたか否かを判定し、レシート発行の有無を判断することができる。
【００１１】
（適用例２）上記適用例に記載のレシートデータ処理装置は、前記レシート発行判断部により前記携帯情報端末で決済されたと判定された場合、前記レシートデータが前記通信部へ出力されて、当該通信部から前記携帯情報端末へ前記レシートデータが送信されることを特徴とする。
【００１２】
この構成によれば、顧客が店舗で商品を購入し、その支払いの手段として携帯情報端末を使用した際に、レシートデータが携帯情報端末に送信されるので、不必要なレシートが発行されることがなくなり、レシート用紙（ロール紙）の削減を図ることができる。
【００１３】
（適用例３）上記適用例に記載のレシートデータ処理装置は、前記レシート発行判断部により前記携帯情報端末で決済されなかったと判定された場合、前記レシートデータが前記印刷部へ出力されて、レシートとして印刷されることを特徴とする。
【００１４】
この構成によれば、顧客が店舗で商品を購入し、その支払いの手段として携帯情報端末を使用しなかった際は、レシートを発行することができる。
【００１５】
（適用例４）本適用例に係るレシートデータ処理方法は、携帯情報端末で決済されたか否かを判別し、レシート印刷を行うか、前記携帯情報端末へレシートデータを送付するか判別するレシートデータ処理方法であって、
（１）商品の識別情報を取得する商品コード入力ステップと、
（２）前記商品コード入力ステップで取得した前記識別情報で特定される前記商品について、商品名及び商品価格を取得する商品データ取得ステップと、
（３）前記商品データ取得ステップで取得した前記商品名及び商品価格に基づいて、レシートデータを作成するレシートデータ作成ステップと、
（４）携帯情報端末で決済されたか否かを判定するレシート発行判断ステップと、
（５）レシートデータを前記携帯情報端末へ送信するレシートデータ送信ステップと、
（６）レシートデータをレシートとして印刷するレシートデータ印刷ステップと、
を備えることを特徴とする。
【００１６】
この方法によれば、客が店舗にて商品を購入した際の支払い手段として携帯情報端末を用いたか否かを判定し、レシート発行の有無を判断することができる。
【００１７】
（適用例５）上記適用例に記載のレシートデータ処理方法は、前記レシート発行判断ステップにより前記携帯情報端末で決済されたと判定された場合、前記レシートデータが通信部へ出力され、当該通信部から前記携帯情報端末へ前記レシートデータが送信されるレシートデータ送信ステップを備えることを特徴とする。
【００１８】
この方法によれば、顧客が店舗で商品を購入し、その支払いの手段として携帯情報端末を使用した際に、レシートデータが携帯情報端末に送信されるので、不必要なレシートが発行されることがなくなり、レシート用紙（ロール紙）の削減を図ることができる。
【００１９】
（適用例６）上記適用例に記載のレシートデータ処理方法は、前記レシート発行判断ステップにより前記携帯情報端末で決済されなかったと判定した場合、前記レシートデータが印刷部へ出力され、レシートとして印刷されるレシート印刷ステップを備えることを特徴とする。
【００２０】
この方法によれば、顧客が店舗で商品を購入し、その支払いの手段として携帯情報端末を使用しなかった際は、レシートを発行することができる。
【図面の簡単な説明】
【００２１】
【図１】本実施形態のＰＯＳ端末の外観を示す図。
【図２】本実施形態のＰＯＳ端末の構成を示すブロック図。
【図３】本実施形態のＰＯＳ端末の機能ブロック図。
【図４】本実施形態においてＣＰＵが実行する会計処理の内容を表すフローチャート。
【発明を実施するための形態】
【００２２】
以下、本発明の実施形態について、図面を参照して説明する。なお、以下の各図においては、説明をわかりやすくするために、細部を省略したり、実際の尺度と異ならせて図示したりする場合がある。
【００２３】
（レシートデータ処理装置としてのＰＯＳ端末について）
まず、本発明に係るレシートデータ処理装置としてのＰＯＳ端末について、図１〜図３を参照して説明する。図１は、本発明の一実施形態であるＰＯＳ端末１の外観を示す図であり、同図（ａ）はＰＯＳ端末１の正面側（オペレーターが操作する側）の斜視図を、また、同図（ｂ）はＰＯＳ端末１の背面側（顧客に向けられた側）の斜視図を、夫々表している。図２は、ＰＯＳ端末１の構成をより詳細に示すブロック図であり、図３は、本実施形態のＰＯＳ端末１の機能ブロック図である。
【００２４】
なお、以下に説明するＰＯＳ端末１は、コンビニエンスストアやスーパーマーケット等の店舗の会計レジに設置され、オペレーターの操作に応じて会計処理およびレシート発行処理を行う。
【００２５】
図１（ａ），（ｂ）に示すように、ＰＯＳ端末１は、キーボード２、オペレーター向けのディスプレイ３、バーコードスキャナー４、キャッシュドロワー５、カードリーダー６、インターフェイス８（図２参照）、プリンター１０等を備えている。さらに、プリンター１０は、携帯情報端末読み取り部１１、通信部１２、印刷部１３（図２参照）を備えている。
【００２６】
会計レジのオペレーターは、このバーコードスキャナー４で商品のバーコードを読み取ることにより、または、キーボード２を操作することにより、商品の識別情報（以下、商品コードという）をＰＯＳ端末１へ入力する。また、複数の同一商品についてはその個数をキーボード２から入力する。
【００２７】
携帯情報端末読み取り部１１は、商品の購入の際に、ここに携帯情報端末２０（図３参照）をかざすことで支払いができるようになっている。携帯情報端末２０には、ＳＩＭカード（Ｓｕｂｓｃｒｉｂｅｒ  Ｉｄｅｎｔｉｔｙ  Ｍｏｄｕｌｅ、加入者識別モジュール）が搭載されていて、その中には携帯情報端末２０の契約者の電話番号や携帯事業者の情報、或いは電話帳などのデータが記録されている。
【００２８】
オペレーターは、顧客が購入した全商品について商品コードの入力を完了すると、例えばキーボード２の「合計」キーを押下することにより会計完了操作を行う。会計完了操作が行われると、レシート４０がプリンター１０により印刷される。
【００２９】
図２に示すように、ＰＯＳ端末１は、ＣＰＵ７を備えている。ＣＰＵ７には、上記したキーボード２、ディスプレイ３、バーコードスキャナー４、キャッシュドロワー５、カードリーダー６、プリンター１０が接続されている。ＣＰＵ７は、メモリー９に格納されたプログラムを実行することにより、上記各部２〜１０を制御する。
【００３０】
ＣＰＵ７には、インターフェイス８を介して、店舗サーバー３０が接続されている。店舗サーバー３０が備えるデータベース３２には、商品マスターテーブル３４が記録されている。
【００３１】
商品マスターテーブル３４には、各商品について、商品コード、商品名、価格等が記録されている。店舗サーバー３０は、ＣＰＵ７から商品コードを指定した問合せを受けると、該当する商品名および価格をＣＰＵ７に通知する。なお、商品マスターテーブル３４を店舗サーバー３０に設けることで、同一店舗内に設けられた複数のＰＯＳ端末１から商品マスターテーブル３４を共有できるようにしている。ただし、ＰＯＳ端末１内部に商品マスターテーブル３４を設ける構成としてもよい。
【００３２】
図３に示すように、ＰＯＳ端末１は、商品コード入力部５０、商品データ取得部５１、会計処理部５２、レシートデータ作成部５３、レシート発行判断部５４、レシートデータ出力部５５の各機能部を備えている。これら機能部５０〜５５は、ＣＰＵ７がプログラムを実行することにより実現される。
【００３３】
商品コード入力部５０は、キーボード２あるいはバーコードスキャナー４から入力された商品コードを取得する。会計処理部５２は、商品コード入力部５０が取得した商品コードに対応する商品名および商品価格を商品データ取得部５１に要求する。商品データ取得部５１は、かかる要求に応じて、商品名および商品価格を店舗サーバー３０から取得し、会計処理部５２へ通知する。会計処理部５２は会計処理を行い、会計処理が終了するとレシートデータ作成部５３がレシートデータを作成する。携帯情報端末読み取り部１１は、顧客が購入商品の支払いを携帯情報端末２０にて行った場合、レシート発行判断部５４へ通知する。
【００３４】
レシート発行判断部５４は、携帯情報端末読み取り部１１から通知を受け取った場合、顧客が購入商品の支払いを携帯情報端末２０にて行ったと判定し、レシートデータ出力部５５は、レシートデータをプリンター１０の通信部１２へ出力する。通信部１２は、受け取ったレシートデータを顧客の携帯情報端末２０へ送信する。また、携帯情報端末読み取り部１１から通知がなかった場合、レシート発行判断部５４は、顧客が購入商品の支払いを携帯情報端末２０にて行わなかったと判定し、レシートデータ出力部５５は、レシートデータを印刷部１３へ出力する。印刷部１３は、受け取ったレシートデータを印刷する。
【００３５】
（レシートデータ処理方法について）
次いで、上述のＰＯＳ端末を用いたレシートデータ処理方法について、図４を参照して説明する。図４は、本実施形態においてＣＰＵ７が実行する会計処理の内容を表すフローチャートである。
【００３６】
店舗レジのオペレーターは、顧客から商品会計の要求を受けると、会計処理として、キーボード２またはバーコードスキャナー４により各商品の商品コードを入力し、さらに、同じ商品が複数ある場合はその個数をキーボード２から入力する。図４に示すように、ＣＰＵ７は、商品コードおよび個数の入力を受け付けると（Ｓ１００）、入力された商品コードに基づいて商品名と商品価格とを店舗サーバー３０から取得する（Ｓ１０１）。
【００３７】
次に、商品コードの入力が終了したか否かが判別される（Ｓ１０２）。例えば、キーボード２の「合計」キーが押下された場合に、商品コードの入力が終了したと判別される。その結果、商品コードの入力が終了した場合には、商品価格の集計や税額の計算等の処理が行われたうえで（Ｓ１０３）、レシートデータ作成処理（Ｓ１０４）へ移る。一方、商品コードの入力が終了していない場合は、上記Ｓ１００に戻って、次の商品コード入力が受け付けられる。
【００３８】
次に、顧客が購入商品の支払いを携帯情報端末２０にて行ったか否かが判別される（Ｓ１０５）。支払いが携帯情報端末２０にて行われた場合は、レシートデータをプリンター１０の通信部１２へ出力する。（Ｓ１０６）。そして、通信部１２は、受け取ったレシートデータを携帯情報端末２０へ送信する（Ｓ１０７）。一方、支払いが携帯情報端末２０にて行われなかった場合は、レシートデータをプリンター１０の印刷部１３へ出力する（Ｓ１０８）。そして、印刷部１３は、受け取ったレシートデータに基づいて、レシート印刷を行う（Ｓ１０９）。
【００３９】
以上説明したように、本実施の形態では、客が店舗にて商品を購入した際の支払い手段として携帯情報端末２０を用いたか否かを判定し、携帯情報端末２０を用いた場合は、レシートデータを支払い手段として用いられた携帯情報端末２０へ送信し、現金やカード等にて支払いが行われた場合は、レシートデータをレシートとして発行する。従って、不必要なレシートが印刷されることがなくなり、レシート用紙（ロール紙）の削減を図ることができる。
【００４０】
また、本実施の形態では、プリンター１０に携帯情報端末読み取り部１１を備える構成としたが、これに限るものではなく、ＰＯＳ端末１に携帯情報端末読み取り機として設けても良い。
【００４１】
また、本実施の形態では、レシートデータ処理装置を、ＰＯＳ端末１に適用した例を説明したが、これに限るものではなく、客が自ら操作を行うセルフレジ装置に適用しても良い。
【符号の説明】
【００４２】
１…ＰＯＳ端末、２…キーボード、４…バーコードスキャナー、７…ＣＰＵ、９…メモリー、１０…プリンター、１１…携帯情報端末読み取り部、１２…通信部、１３…印刷部、３０…店舗サーバー、３２…データベース、３４…商品マスターテーブル、５０…商品コード入力部、５１…商品データ取得部、５２…会計処理部、５３…レシートデータ生成部、５４…レシート発行判断部、５５…レシートデータ出力部。
【図１】
2013238977.tif 000003
【図２】
2013238977.tif 000004
【図３】
2013238977.tif 000005
【図４】
2013238977.tif 000006